(57)【要約】【課題】  電子機器にケーブルを接続する際に、当該ケーブルを接続すべき接続端子を容易に特定することが可能な電子機器、ケーブル、及び電子機器システムを提供する。【解決手段】  プロジェクタ１の背面１ａには、画像供給装置等の電子機器と、ケーブルを介して信号の伝達を行うためのインターフェイス部１０が備えられており、インターフェイス部１０には、ケーブルを接続するための接続端子として、複数の入力端子１０ａ〜１０ｅが備えられている。プロジェクタ１の上面１ｂでインターフェイス部１０の近傍には、発光体としての５つのＬＥＤ１３ａ〜１３ｅからなるＬＥＤ表示部１３が備えられている。各ＬＥＤ１３ａ〜１３ｅは、それぞれ入力端子１０ａ〜１０ｅと対応付けられており、それぞれ対応する入力端子１０ａ〜１０ｅの近傍に配置されている。【選択図】  図１
2006039448.tif 000002
【特許請求の範囲】
【請求項１】
複数の電子機器と、前記複数の電子機器間の接続を行うためのケーブルとを備えた電子機器システムであって、
前記ケーブルは、当該ケーブルの種類を識別可能な識別情報を記憶する記憶部と、前記識別情報を非接触で送信可能な第１の通信部とを備え、
前記複数の電子機器の少なくとも１つは、前記ケーブルを接続可能な複数の接続端子と、前記識別情報を非接触で受信可能な第２の通信部と、前記識別情報に応じて前記ケーブルを接続すべき接続端子を指示する指示部とを備えたことを特徴とする電子機器システム。
【請求項２】
他の電子機器との接続を行うためのケーブルを接続可能な複数の接続端子と、
前記ケーブルから送信された識別情報を、非接触で受信可能な第２の通信部と、
前記識別情報に応じて前記ケーブルを接続すべき接続端子を指示する指示部と、
を備えたことを特徴とする電子機器。
【請求項３】
請求項２に記載の電子機器において、前記接続端子は、複数の画像供給装置とケーブルを介して接続可能であり、前記画像供給装置から入力した画像信号に応じて画像を表示する画像表示部を備えたことを特徴とする電子機器。
【請求項４】
請求項２又は３に記載の電子機器において、前記各接続端子に対応する複数の発光体が備えられ、前記指示部は、前記発光体の点灯状態によって接続すべき接続端子を指示することを特徴とする電子機器。
【請求項５】
請求項３に記載の電子機器において、前記指示部は、前記画像表示部による表示画像によって指示を行うことを特徴とする電子機器。
【請求項６】
請求項２〜５のいずれか１項に記載の電子機器において、前記接続端子にケーブルが接続されているか否かを検知可能な検知部を備えたことを特徴とする電子機器。
【請求項７】
複数の電子機器間の接続を行うためのケーブルであって、
当該ケーブルの種類を識別可能な識別情報を記憶する記憶部と、
前記識別情報を非接触で送信可能な第１の通信部と、
を備え、
前記電子機器の少なくとも一方に、前記識別情報を送信可能であることを特徴とするケーブル。
【請求項８】
請求項７に記載のケーブルにおいて、前記第１のデータ通信部は、非接触でデータの送受信が可能であり、前記第１のデータ通信部で受信したデータに応じて、表示状態を変更可能な表示部を備えたことを特徴とするケーブル。
【発明の詳細な説明】
【技術分野】
【０００１】
本発明は、他の電子機器との接続を行うためのケーブルを接続可能な複数の接続端子を備えた電子機器に関し、さらには、電子機器同士を接続するケーブルに関する。また、前記複数の電子機器及び前記ケーブルを含む電子機器システムに関する。
【背景技術】
【０００２】
複数の電子機器間を接続して信号の入出力を行う場合には、電子機器に備えられた接続端子にケーブルを接続させる必要がある。
【０００３】
モニタやプロジェクタのような画像表示装置においては、ＶＴＲ（磁気記録再生装置）やＤＶＤ（Digital Versatile Disc）再生装置、ＰＣ（パーソナルコンピュータ）等、複数台の画像供給装置を接続する場合があるうえ、各種ビデオ信号等に対応する必要から、様々な入力端子が数多く備えられている（例えば、特許文献１）。
【０００４】
通常、電子機器の各接続端子の近傍には、どのケーブルを接続すべき接続端子であるかを示す文字や図形が付されている。また、形状が類似する接続端子が複数ある場合には、各接続端子に信号の種類によって異なる着色がなされており、同一色に着色されたケーブルが接続可能であることを示している。このため、電子機器の取扱いに慣れたユーザであれば、コネクタの形状や、前述した文字や図形、色等の情報から、どのケーブルをどの接続端子に接続すべきかを知ることが可能である。
【０００５】
【特許文献１】特開２００３−２７４３１６号公報  （第９図）
【発明の開示】
【発明が解決しようとする課題】
【０００６】
しかしながら、電子機器の取扱いに不慣れで、前記文字や図形の意味を解せないユーザ、或いは、視力や色覚が十分でなく、小さな文字や記号、或いは色を識別するのが困難なユーザにとっては、所定のケーブルを接続すべき接続端子を特定することは困難であり、電子機器同士のケーブル接続を自力で行うことは困難であった。
【０００７】
本発明は上記問題を鑑みてなされたものであり、その目的は、電子機器にケーブルを接続する際に、当該ケーブルを接続すべき接続端子を容易に特定することが可能な電子機器、ケーブル、及び電子機器システムを提供することにある。
【課題を解決するための手段】
【０００８】
本発明の電子機器システムは、複数の電子機器と、前記複数の電子機器間の接続を行うためのケーブルとを備えた電子機器システムであって、前記ケーブルは、当該ケーブルの種類を識別可能な識別情報を記憶する記憶部と、前記識別情報を非接触で送信可能な第１の通信部とを備え、前記複数の電子機器の少なくとも１つは、前記ケーブルを接続可能な複数の接続端子と、前記識別情報を非接触で受信可能な第２の通信部と、前記識別情報に応じて前記ケーブルを接続すべき接続端子を指示する指示部とを備えたことを特徴とする。
【０００９】
この電子機器システムによれば、電子機器にケーブルを接続する際に、電子機器は、第２の通信部でケーブルの種類を識別可能な識別情報を読み取ることによって、接続しようとしているケーブルの種類を知ることが可能となるため、複数の接続端子の中から当該ケーブルを接続すべき接続端子を指示部で指示することが可能となる。この結果、ケーブルを接続すべき接続端子を特定することが容易になる。
【００１０】
本発明の電子機器は、他の電子機器との接続を行うためのケーブルを接続可能な複数の接続端子と、前記ケーブルから送信された識別情報を、非接触で受信可能な第２の通信部と、前記識別情報に応じて前記ケーブルを接続すべき接続端子を指示する指示部とを備えたことを特徴とする。
【００１１】
この電子機器によれば、電子機器にケーブルを接続する際に、電子機器は、ケーブルから送信される識別情報を第２の通信部で読み取ることによって、接続しようとしているケーブルの種類を知ることが可能となるため、複数の接続端子の中から当該ケーブルを接続すべき接続端子を指示部で指示することが可能となる。この結果、ケーブルを接続すべき接続端子を特定することが容易になる。
【００１２】
この電子機器において、前記接続端子は、複数の画像供給装置とケーブルを介して接続可能であり、前記画像供給装置から入力した画像信号に応じて画像を表示する画像表示部を備えていてもよい。
【００１３】
プロジェクタやモニタのように、入力される画像信号に応じて画像を表示する画像表示部を備えた電子機器においては、複数の画像供給装置と接続しうるように多数の接続端子を備えているため、ケーブルを接続すべき接続端子を特定することが一層困難となる。しかしながら、本発明の電子機器によれば、複数の接続端子の中から、当該ケーブルを接続すべき接続端子を指示部で指示することが可能となるため、ケーブルを接続すべき接続端子を特定することが容易になる。
【００１４】
この電子機器において、前記各接続端子に対応する複数の発光体が備えられ、前記指示部は、前記発光体の点灯状態によって接続すべき接続端子を指示するようにしてもよい。
【００１５】
この電子機器によれば、各接続端子に対応する発光体が備えられ、発光体の点灯状態（点灯、消灯、点滅等）によって接続すべき接続端子を指示するため、接続すべき接続端子を特定する際の視認性が向上する。
【００１６】
この電子機器において、前記指示部は、前記画像表示部による表示画像によって指示を行うようにしてもよい。
【００１７】
この電子機器によれば、画像表示部による表示画像によって、ケーブルを接続すべき接続端子を指示するため、実写画像や文字等を用いた詳細な指示が可能となるうえ、ケーブルの接続先を指示するためのみに用いられる発光体等を設ける必要がない。
【００１８】
この電子機器において、前記接続端子にケーブルが接続されているか否かを検知可能な検知部を備えていることが望ましい。
【００１９】
この電子機器によれば、前記接続端子にケーブルが接続されているか否かを検知可能な検知部を備えているため、それまでの接続状況に応じた指示が可能となるうえ、ケーブルの接続が完了したことを検知することによって、指示部による指示や、第２の通信部による通信を中止することが可能となるため、消費電力を低減することが可能となる。
【００２０】
本発明のケーブルは、複数の電子機器間の接続を行うためのケーブルであって、当該ケーブルの種類を識別可能な識別情報を記憶する記憶部と、前記識別情報を非接触で送信可能な第１の通信部とを備え、前記電子機器の少なくとも一方に、前記識別情報を送信可能であることを特徴とする。
【００２１】
このケーブルによれば、ケーブルの種類を識別可能な識別情報を記憶する記憶部と、識別情報を非接触で送信可能な第１の通信部とを備えている。このため、ケーブルから送信される識別情報を受信可能な電子機器に対してケーブルを接続する際に、電子機器は、当該ケーブルの種類を知ることが可能となり、接続すべき接続端子の指示を行うことが可能となる。この結果、ケーブルを接続すべき接続端子を特定することが容易になる。
【００２２】
このケーブルにおいて、前記第１のデータ通信部は、非接触でデータの送受信が可能であり、前記第１のデータ通信部で受信したデータに応じて、表示状態を変更可能な表示部を備えていてもよい。
【００２３】
このケーブルによれば、第１のデータ通信部が、非接触でデータの送受信が可能であるため、識別情報を受信した電子機器から、当該ケーブルの使用可否等を表すフィードバックを受信することが可能となる。さらに、受信したデータに応じて表示状態を変更可能な表示部を備えているため、電子機器に対してケーブルの接続を試みる前に、当該ケーブルの使用可否等を知ることが可能となる。
【発明を実施するための最良の形態】
【００２４】
（第１実施形態）
以下、本発明の第１実施形態について、図面を参照して説明する。図１及び図２は、本実施形態の電子機器としてのプロジェクタを示す斜視図であり、図１は、背面側から、図２は、前面側から見た図を示している。
【００２５】
プロジェクタ１は、電子機器としての画像供給装置から供給される画像信号に基づいて光学像を形成し、この光学像をスクリーン等に投写することによって画像の表示を行うものである。
【００２６】
図１に示すように、プロジェクタ１の背面１ａには、画像供給装置等の電子機器と、ケーブルを介して信号の伝達を行うためのインターフェイス部１０が備えられており、インターフェイス部１０には、ケーブルを接続するための接続端子として、複数の入力端子１０ａ〜１０ｅが備えられている。本実施形態のインターフェイス部１０は、入力端子として、ＰＣ等から画像信号を入力するミニＤ−Ｓｕｂ１５ピン端子１０ａ、ＶＴＲやＤＶＤ再生装置等から画像信号を入力するためのＳ端子１０ｂ及びコンポジットビデオ信号用のピンジャック１０ｃ、音声信号を入力するミニジャック１０ｄ、ＰＣ等からプロジェクタ１を操作するための操作信号を入力するＵＳＢ（Universal Serial Bus）端子１０ｅを備えている。また、インターフェイス部１０の左側には、電源ケーブルを接続するためのインレット端子１１が備えられ、インターフェイス部の右側には、非接触識別タグと非接触でデータの送受信が可能なアンテナ部１２が備えられている。
【００２７】
プロジェクタ１の上面１ｂでインターフェイス部１０の近傍には、発光体としての５つのＬＥＤ（Light Emitting Diode）１３ａ〜１３ｅからなるＬＥＤ表示部１３が備えられている。各ＬＥＤ１３ａ〜１３ｅは、それぞれ入力端子１０ａ〜１０ｅと対応付けられており、それぞれ対応する入力端子１０ａ〜１０ｅの近傍に配置されている。なお、ＬＥＤ表示部１３は、インターフェイス部１０と同じ面に配置されていてもよい。
【００２８】
図２に示すように、プロジェクタ１は、その前面１ｃに投写レンズ１４を備えており、前方に備えられる図示しないスクリーン等に光学像を投写することによって、画像を表示することができる。プロジェクタ１の上面１ｂには、操作部１５が備えられている。操作部１５には、電源のオンとオフとを切り換える電源スイッチや、表示画像の明るさ、コントラスト、或いはズーム状態等、プロジェクタ１の各種状態を操作するための操作スイッチ等が配置されている。
【００２９】
図３は、プロジェクタ１の内部構成、及びプロジェクタ１を用いた画像表示システムを示すブロック図である。
【００３０】
図３に示すように、プロジェクタ１は、ケーブル２を介して画像供給装置３に接続され、画像供給装置３が出力する画像信号に基づいて、スクリーンＳＣに画像を表示可能になっており、プロジェクタ１と、ケーブル２と、画像供給装置３とは、電子機器システムとしての画像表示システム５を構成している。
【００３１】
プロジェクタ１は、制御部２０と、制御信号処理部２１と、記憶部２２と、通信部２３と、ＬＥＤ制御部２４と、検知部２５と、画像信号処理部２６と、ＯＳＤ（オンスクリーンディスプレイ）処理部２７とを備えている。前記各部２０〜２７は、バス２８によって互いに接続されており、制御部２０が、他の各部２１〜２７を制御して、プロジェクタ１の動作を統括する。
【００３２】
制御信号処理部２１は、操作部１５に接続されているとともに、リモコンＲＣとの間で赤外線による通信が可能になっており、さらに、前述したＵＳＢ端子１０ｅを介してＰＣとの接続も可能になっている。制御信号処理部２１は、操作部１５や、リモコンＲＣ、ＰＣから操作信号を受信し、その旨を制御部２０に通知すると、制御部２０は、その操作信号に基づいてプロジェクタ１の各種状態の変更等を行う。
【００３３】
記憶部２２は、制御部２０が実行する制御プログラムや、プロジェクタ１の各種状態を表す設定値等を記憶している。本実施形態では、さらに、プロジェクタ１に接続可能なケーブルの一覧情報（識別コードリスト）を記憶している。
【００３４】
通信部２３は、アンテナ部１２に備えられたコイルアンテナ２３ａに接続されており、電磁波を利用して通信を行う電磁誘導方式によって、通信可能範囲内に存在する非接触識別タグと非接触でデータ通信を行うことが可能になっている。利用する電磁波としては、例えば、１３５ｋＨｚ以下、或いは、１３．５６ＭＨｚ帯の電磁波を利用することが可能であり、本実施形態では、その通信可能範囲を、アンテナ部１２から２０〜３０ｃｍ程度の範囲に設定している。
【００３５】
通信部２３は、非接触識別タグにコマンドを表すデータを送信することによって、非接触識別タグに、コマンドに応じた動作を行わせることができる。非接触識別タグに対するコマンドの種類には、応答要求コマンドや、表示コマンド等がある。通信部２３が応答要求コマンドを送信すると、これを受信したすべての非接触識別タグは、それぞれの識別情報を表すデータを通信部２３に送信する。表示コマンドは、特定の非接触識別タグを指定して、非接触識別タグの表示部に所定の表示を行うためのものである。
【００３６】
ＬＥＤ制御部２４は、ＬＥＤ表示部１３の各ＬＥＤ１３ａ〜１３ｅの点灯及び消灯の切り換えを制御する。本実施形態では、ケーブル２を接続すべき入力端子に対応するＬＥＤを点灯することによって、接続すべき入力端子をユーザに指示するものであり、ＬＥＤ制御部２４及びＬＥＤ表示部１３は、ケーブル２の接続先を指示する指示部として機能する。
【００３７】
検知部２５は、インターフェイス部１０に備えられた各入力端子１０ａ〜１０ｅに接続されており、各入力端子１０ａ〜１０ｅにケーブル２が接続されているか否かの検知を行う。例えば、図４に示すように、ケーブル２側の１つの接触子４５に対して、複数の接触子２５ａ，２５ｂを入力端子（例えば、１０ｃ）に備え、これらの接触子２５ａ，２５ｂが短絡しているか否かを検知すること等によって、ケーブル２が入力端子１０ｃに接続されているか否かを検知することができる。また、ケーブル２のコネクタ部４２が、互いに短絡された複数の接触子を備える場合には、入力端子側の前記接触子に対応する複数の接触子が短絡しているか否かを検知することによって、ケーブル２が入力端子１０ａ〜１０ｅに接続されているか否かを検知可能となる。
【００３８】
図３に戻って、画像供給装置３からケーブル２を介してインターフェイス部１０に入力される画像信号は、画像信号処理部２６に送られる。
【００３９】
画像信号処理部２６は、画像供給装置３から受信したアナログの画像信号をＡＤ変換してデジタルの表示画像データを生成し、さらに、表示画像データにガンマ補正等の画像処理を施す。また、画像信号処理部２６は、一時記憶のために、表示画像データを画像メモリ２６ａに書き込んだり、画像メモリ２６ａから表示画像データを読み出したりする機能を有している。画像処理が済んだ表示画像データは、ＯＳＤ処理部２７に供給される。
【００４０】
ＯＳＤ処理部２７は、制御信号処理部２１からの要求に応じて、プロジェクタ１の各種状態の確認や変更等を行うためのメニュー画像などを表すＯＳＤ画像データを、表示画像データに合成する処理を行う。
【００４１】
メニュー画像を構成するグラフィックデータやフォントデータ等は、ＯＳＤメモリ２７ａに所定のフォーマットで記憶されている。メニュー画像を表示する際、ＯＳＤ処理部２７は、ＯＳＤメモリ２７ａからメニュー画像データを読み出してＯＳＤ画像データを生成し、このＯＳＤ画像データを画像信号処理部２６から出力された表示画像データと合成して合成画像データを生成する。ＯＳＤ処理部２７から出力された合成画像データは、画像投写部２９に供給される。なお、メニュー画像等を表示しない場合には、上記合成処理を行わないため、画像信号処理部２６から出力される表示画像データが、そのまま画像投写部２９に供給される。
【００４２】
画像投写部２９は、光源と、液晶ライトバルブと、液晶ライトバルブ駆動部（いずれも図示せず）とを備えている。液晶ライトバルブ駆動部が、入力される画像データに応じて液晶ライトバルブを駆動することによって、光源から出射された光は変調され、光学像が形成される。この光学像を、投写レンズによってスクリーンＳＣ上に投写することによって、スクリーンＳＣ上に画像が表示される。ここで、画像信号処理部２６と、画像投写部２９と、投写レンズ１４とは、入力した画像信号に応じてスクリーンＳＣに画像を表示する画像表示部として機能する。
【００４３】
また、プロジェクタ１には、インレット端子１１を通じて外部電源を入力する電源部１６が備えられており、操作部１５に備えられた電源スイッチを操作することによって、前記各部に駆動電圧を供給し、プロジェクタ１が動作状態となる。
【００４４】
次に、ケーブル２について、図面を参照して説明する。
図５は、本実施形態のケーブル２を示す図であり、（ａ）は、ケーブル２の全体を示す図、（ｂ）は、電子機器と接続するためのコネクタ部４２を示す図である。
【００４５】
図５（ａ）に示すように、ケーブル２は、信号を伝達する導線部４１と、導線部４１の両端に備えられ、導線部４１を２台の電子機器に接続するための２つのコネクタ部４２とを備えている。各コネクタ部４２には、プロジェクタ１の通信部２３と非接触でデータ通信が可能な非接触識別タグ４３と、表示部４４とが備えられている。
【００４６】
図６は、非接触識別タグ４３と表示部４４の回路構成を示すブロック図である。図６に示すように、非接触識別タグ４３は、通信部５１、制御部５２、記憶部５３、電力生成部５４、コイルアンテナ５５を含んだ構成になっている。
【００４７】
通信部５１は、記憶部５３に記憶されたデータを、プロジェクタ１の通信部２３に電磁誘導方式によって送信可能であるとともに、プロジェクタ１の通信部２３から伝送されたデータを電磁誘導方式によって受信可能であり、これらの送受信は、コイルアンテナ５５を介して行われる。
【００４８】
制御部５２は、ロジック回路によって構成され、非接触識別タグ４３の各部及び表示部４４の動作を制御可能であり、データの送受信の制御や、表示部４４への表示の制御を行う。
【００４９】
記憶部５３は、フラッシュメモリや強誘電体メモリ（ＦｅＲＡＭ）等の不揮発性のメモリからなっており、ケーブル２の識別情報を表すデータである識別コード等を記憶している。本実施形態では、識別コードとして、例えば、ケーブル２がミニＤ−Ｓｕｂ１５ピン端子１０ａに接続するケーブルであれば、“ＭＩＮＩＤ−ＳＵＢ１５”、Ｓ端子１０ｂに接続するケーブルであれば、“Ｓ−ＶＩＤＥＯ”のように、各ケーブルの種類を表す文字コードを記憶している。
【００５０】
表示部４４には、例えば、電気泳動現象を利用した電気泳動表示装置を用いることができる。本実施形態では、表示のオンとオフの２つの状態を表すことが可能になっており、制御部５２によって表示をオンにすると、図５（ｂ）に示すように、表示部４４に×印が表示される。
【００５１】
なお、電気泳動表示装置は、表示画像保持性能（メモリ性）を有しているため、電圧の印加によって画像を一度表示させると、電圧の印加を解除した後も画像を保持することが可能になっている。ここで、電気泳動現象とは、液相分散媒中に帯電した微粒子（電気泳動粒子）を分散させた分散液に電界を印加したときに、微粒子がクーロン力により泳動する現象であり、液相分散媒と電気泳動粒子とに異なる着色をすることにより、電圧の印加方向に応じて表示内容を変更することができる。
【００５２】
電力生成部５４は、プロジェクタ１の通信部２３がデータを送信する際の搬送波（電磁波）から電力を生成して上記各部５１，５２，５３，４４に供給する。
【００５３】
上記のように構成されたケーブル２を、プロジェクタ１のアンテナ部１２に近づけることによって、非接触識別タグ４３が、プロジェクタ１の通信部２３の通信可能範囲に入ると、プロジェクタ１は、非接触識別タグ４３の記憶部５３に記憶された識別コードを受信して、ケーブル２の種類を特定することが可能となる。
【００５４】
図７は、ケーブル２をプロジェクタ１に近づけた際のプロジェクタ１の動作を示すフローチャートである。プロジェクタ１に外部電源が供給された状態で、電源スイッチを操作し、プロジェクタ１が動作可能な状態になると、制御部２０によって、下記の動作が開始される。
【００５５】
図７に示すように、ステップＳ１０１では、制御部２０は、通信部２３によって応答要求コマンドを発信する。通信部２３の通信可能範囲内に存在する非接触識別タグ４３は、応答要求コマンドを受信すると、自己の記憶部５３に記憶された識別コードを発信することによって応答する。
【００５６】
ステップＳ１０２では、非接触識別タグ４３からの応答（識別コード）を受信したか否かを判断する。受信した場合にはステップＳ１０３に移行し、受信しなかった場合には、通信可能範囲内に非接触識別タグ４３が存在しないと判断してステップＳ１０６に移行する。
【００５７】
ステップＳ１０３では、受信した識別コードから、当該ケーブル２がプロジェクタ１に接続可能か否かを判断する。具体的には、受信した識別コードが記憶部２２に記憶されている識別コードリストに含まれているか否かを判断し、含まれている、つまり、ケーブル２がプロジェクタ１に接続可能であればステップＳ１０４に移行し、含まれていない、つまり、接続不可能であればステップＳ１０７に移行する。
【００５８】
ステップＳ１０４では、検知部２５によって、応答したケーブル２が既に入力端子１０ａ〜１０ｅに接続されているか否かを判断する。既に接続されている場合には、ステップＳ１０８に移行し、接続されていない場合には、ステップＳ１０５に移行する。
【００５９】
ステップＳ１０５では、ＬＥＤ制御部２４によって、ケーブル２を接続すべき入力端子（入力端子１０ａ〜１０ｅのいずれか１つ）に対応するＬＥＤ（ＬＥＤ１３ａ〜１３ｅのいずれか１つ）を点灯させる。これにより、ユーザは、ケーブル２を接続すべき入力端子を容易に特定することが可能となる。以降、ステップＳ１０１に戻って、上記動作を繰り返す。
【００６０】
ここで、ステップＳ１０２において、非接触識別タグ４３からの応答がなく、ステップＳ１０６に移行した場合で、既に点灯しているＬＥＤ１３ａ〜１３ｅがある場合には、そのＬＥＤを消灯する。
【００６１】
また、ステップＳ１０４において、応答したケーブル２が既に入力端子１０ａ〜１０ｅに接続されていると判断し、ステップＳ１０８に移行した場合で、前記入力端子に対応するＬＥＤが点灯している場合には、そのＬＥＤを消灯する。
【００６２】
一方、ステップＳ１０３において、ケーブル２がプロジェクタ１に接続不可能と判断され、ステップＳ１０７に移行した場合には、表示コマンドとケーブル２の識別コードとを発信し、当該ケーブル２の表示部４４に使用不可である旨を表示させる。
【００６３】
図８は、ケーブル２をプロジェクタ１に近づけた際のケーブル２の動作を示すフローチャートである。
【００６４】
まず、ケーブル２の非接触識別タグ４３が、コイルアンテナ５５で所定の電磁波を受信すると、電力生成部５４は、各部の動作に必要な動作電圧を生成し、各部に供給する。これにより、非接触識別タグ４３及び表示部４４は、動作可能状態となってステップＳ１１１に移行する。
【００６５】
ステップＳ１１１では、電磁波に含まるデータを通信部５１で受信し、このデータがプロジェクタ１の通信部２３から送信されたコマンドであるか否かを判断する。コマンドである場合には、ステップＳ１１２に移行し、コマンドでない場合には、ステップＳ１１１を繰り返す。
【００６６】
ステップＳ１１２では、受信したコマンドが応答要求コマンドであるか否かを判断する。応答要求コマンドであれば、ステップＳ１１３に移行し、他のコマンドであれば、ステップＳ１１４に移行する。
【００６７】
ステップＳ１１３に移行した場合には、応答要求コマンドに応答するため、記憶部５３に記憶された識別コードをプロジェクタ１に対して送信し、ステップＳ１１１に戻る。
【００６８】
ステップＳ１１４に移行した場合には、受信したコマンドが当該ケーブル２に対する表示コマンドであるか否かを判断する。具体的には、受信したコマンドが表示コマンドであり、かつ表示コマンドと同時に送信された識別コードが記憶部５３に記憶されている自己の識別コードと一致するか否かを判断し、一致する場合には、ステップＳ１１５に移行し、そうでなければステップＳ１１１に戻る。
【００６９】
ステップＳ１１５では、制御部５２が表示部４４を制御して、表示部をオンの状態に設定する。これにより、図５（ｂ）にしめすように、ケーブル２の表示部４４に×印が表示され、ユーザは、当該ケーブル２がプロジェクタ１に接続不可能であることを認識することができる。その後、ステップＳ１１１に戻って、上記動作を繰り返す。
【００７０】
以上説明したように、本実施形態のプロジェクタ１、ケーブル２、及び画像表示システム５によれば、以下の効果を得ることができる。
【００７１】
（１）本実施形態の画像表示システム５によれば、ケーブル２が、ケーブル２の種類を表す識別コードを記憶した記憶部５３と、識別コードをプロジェクタ１に送信可能な通信部５１を備え、プロジェクタ１が、この識別コードを非接触で受信可能な通信部２３と、各入力端子１０ａ〜１０ｅに対応するＬＥＤ１３ａ〜１３ｅと、ＬＥＤ１３ａ〜１３ｅの点灯状態を制御するＬＥＤ制御部２４とを有している。このため、プロジェクタ１にケーブル２を接続する際に、プロジェクタ１は、通信部２３で識別コードを読み取ることによって、接続しようとしているケーブル２の種類を知ることが可能となり、複数の入力端子１０ａ〜１０ｅの中から当該ケーブル２を接続すべき入力端子をＬＥＤ１３ａ〜１３ｅによって指示することが可能となる。この結果、ケーブル２を接続すべき入力端子を特定することが容易になる。
【００７２】
（２）本実施形態のプロジェクタ１によれば、ケーブル２の通信部５１から送信された識別コードを、非接触で受信可能な通信部２３と、受信した識別コードに応じてケーブル２を接続すべき入力端子を指示可能なＬＥＤ１３ａ〜１３ｅと、ＬＥＤ１３ａ〜１３ｅの点灯状態を制御するＬＥＤ制御部２４とを有している。このため、プロジェクタ１にケーブル２を接続する際に、プロジェクタ１は、ケーブルの種類を表す識別コードを通信部２３によって読み取り、複数の入力端子１０ａ〜１０ｅの中から、当該ケーブル２を接続すべき入力端子をＬＥＤ１３ａ〜１３ｅで指示することが可能となる。この結果、ケーブル２を接続すべき入力端子を特定することが容易になる。
【００７３】
（３）本実施形態のプロジェクタ１によれば、各入力端子１０ａ〜１０ｅに対応するＬＥＤ１３ａ〜１３ｅが備えられ、ＬＥＤ１３ａ〜１３ｅの点灯状態によって接続すべき入力端子を指示するため、接続すべき入力端子を特定する際の視認性が向上する。
【００７４】
（４）本実施形態のプロジェクタ１によれば、入力端子１０ａ〜１０ｅにケーブル２が接続されているか否かを検知可能な検知部２５を備えており、ケーブル２の接続を検知することにより、ＬＥＤ１３ａ〜１３ｅを消灯するようにしているため、ＬＥＤ１３ａ〜１３ｅの点灯に要する消費電力を低減することが可能となる。
【００７５】
（５）本実施形態のケーブル２によれば、ケーブル２の種類を表す識別コードを記憶した記憶部５３と、識別コードを非接触で送信可能な通信部５１とを備えているため、プロジェクタ１に対してケーブル２を接続する際に、プロジェクタ１が、当該ケーブル２の種類を知ることが可能となり、接続すべき入力端子の指示を行うことが可能となる。この結果、ケーブルを接続すべき接続端子を特定することが容易になる。
【００７６】
（６）本実施形態のケーブル２によれば、ケーブル２が使用不可能である場合にプロジェクタ１が発信する表示コマンドを受信した際に、表示部４４によって、使用不可能であることを表示可能であるため、プロジェクタ１に対してケーブル２の接続を試みる前に、当該ケーブル２の使用可否を知ることが可能となる。
【００７７】
（第２実施形態）
本発明の第２実施形態を、図面を参照して説明する。図９は、第２実施形態のプロジェクタにケーブルを近づけた際のプロジェクタ１の動作を示すフローチャートであり、図１０は、その説明図である。本実施形態のプロジェクタ１は、第１実施形態のＬＥＤ制御部２４及びＬＥＤ表示部１３に代わって、投写画像によって接続すべき入力端子の指示を行うものである。また、プロジェクタ１の記憶部２２には、プロジェクタ１のインターフェイス部１０の実写画像を表す画像データが記憶されている。
【００７８】
図９に示すように、プロジェクタ１は、ステップＳ１０５を除いて第１実施形態と同じ動作を行うものであり、ステップＳ１０１〜Ｓ１０４において、応答要求コマンドに対して応答したケーブル２が、プロジェクタ１に対応可能で、かつ未接続の状態だった場合に、ステップＳ１０５ａに移行する。
【００７９】
ステップＳ１０５ａでは、制御部２０が、記憶部２２からインターフェイス部１０の実写画像を表す画像データを読み出して、これをＯＳＤ処理部２７に供給する。さらに、ＯＳＤ処理部２７は、「このコネクタに接続してください。」というメッセージと、ケーブル２を接続すべき入力端子を指し示す矢印とを、前記画像データに合成し、画像投写部２９によって、合成画像をスクリーンＳＣ等に投写する（図１０参照）。これにより、ユーザは、投写された画像を見ることによって、ケーブル２を接続すべき入力端子を容易に特定することが可能となる。即ち、インターフェイス部１０の実写画像を記憶する記憶部２２と、メッセージや矢印を合成するＯＳＤ処理部２７と、画像を投写する画像投写部２９とが本実施形態の指示部を構成する。以降、ステップＳ１０１に戻って、上記動作を繰り返す。
【００８０】
ここで、本実施形態のステップＳ１０３において、ケーブル２が接続不可能（非対応）である場合に、「使用できないケーブルです。」等のメッセージをＯＳＤ処理部２７によって付加するようにすれば、ケーブル２に表示部４４を備えなくとも、ケーブル２の使用可否を容易に認識することができるようになる。
【００８１】
以上説明したように、本実施形態のプロジェクタ１によれば、前記実施形態の効果に加えて、以下の効果を得ることができる。
【００８２】
本実施形態のプロジェクタ１によれば、プロジェクタ１がスクリーンＳＣ等に表示する画像によって、ケーブル２を接続すべき入力端子を指示するため、実写画像や文字等を用いた詳細な指示が可能となるうえ、ケーブル２の接続先を指示するためのみに用いられるＬＥＤ等を設ける必要がない。
【００８３】
（第３実施形態）
本発明の第３実施形態を、図面を参照して説明する。図１１は、本実施形態のプロジェクタを背面側から見た斜視図である。
【００８４】
図１１に示すように、本実施形態のインターフェイス部１０には、第１の実施形態のインターフェイス部１０が備える入力端子に加えて、コンポーネントビデオ信号を入力するための３つで１組のピンジャック（入力端子）１０ｆ，１０ｇ，１０ｈと、音声信号を入力するための２つで１組のピンジャック（入力端子）１０ｉ，１０ｊとを備えている。また、接続先を指示するためのＬＥＤ１３ａ〜１３ｊが、それぞれ入力端子１０ａ〜１０ｊの上方に備えられている。
【００８５】
ここで、本実施形態の通信部２３は、通信可能範囲をアンテナ部１２から２ｃｍ程度のごく近距離に制限しており、入力端子１０ａ〜１０ｊに接続されたケーブル２の非接触識別タグ４３とは通信できないようになっている。
【００８６】
また、本実施形態のプロジェクタ１は、ケーブル２が接続されたか否かを検知可能な検知部２５を備えていない。さらに、非接触識別タグ４３をアンテナ部１２のごく近傍に近づけて、ＬＥＤを一度点灯させると、非接触識別タグ４３が通信可能範囲外となった後も、所定の時間（例えば、１０秒）経過するまで点灯状態を維持するようになっている。
【００８７】
本実施形態のように、複数個で１組の入力端子に接続するためのケーブルとして、複数本のケーブルが一体となったものが用いられることがある。図１１に示した３本のケーブル２ａ，２ｂ，２ｃは、コンポーネントビデオ信号入力用のケーブルであり、３本が束ねられて一体となっている。各ケーブル２ａ，２ｂ，２ｃのコネクタ部４２には、それぞれに非接触識別タグ４３が備えられており、各非接触識別タグ４３が有する記憶部５３には、それぞれ異なる識別コードが記憶されている。
【００８８】
このケーブル２ａ，２ｂ，２ｃを接続する際には、３本のうちの１本（例えばケーブル２ａ）のコネクタ部４２をアンテナ部１２のごく近傍に近づけることで、プロジェクタ１は、ケーブル２ａの非接触識別タグ４３と通信可能となる。このとき、通信部２３の通信可能範囲をごく近距離に制限しているため、他の２本のケーブル２ｂ、２ｃの非接触識別タグ４３と通信可能になることはない。
【００８９】
プロジェクタ１が、ケーブル２ａを接続すべきピンジャック（例えば、入力端子１０ｆ）に対応するＬＥＤ１３ｆを点灯させると、ユーザは、これに従って、ピンジャック１０ｆにケーブル２ａを接続しようとして、ケーブル２ａのコネクタ部４２をピンジャック１０ｆに近づける。このとき、非接触識別タグ４３は、通信可能範囲を外れることになるが、ＬＥＤ１３ｆが所定の時間点灯状態を維持しているため、ＬＥＤ１３ｆの点灯による指示に従って、ケーブル２ａを接続することができる。引き続いて、ケーブル２ｂ、２ｃについても、同様の作業を行うことで、すべてのケーブル２ａ，２ｂ，２ｃを正しい位置に接続することが可能となる。
【００９０】
以上説明したように、本実施形態のプロジェクタ１によれば、前記実施形態の効果に加えて、以下の効果を得ることができる。
【００９１】
（１）本実施形態によれば、通信部２３の通信可能範囲をごく近距離に制限しているため、複数本のケーブル２ａ，２ｂ，２ｃが一体となったケーブルを接続する際に、各ケーブルのコネクタ部４２に備えられた非接触識別タグ４３と同時に通信可能となるのを避けることができる。この結果、プロジェクタ１は、複数本のケーブル２ａ，２ｂ，２ｃのうち、どのケーブルを接続しようとしているかを特定することが可能となり、接続すべき入力端子を適切に指示することが可能となる。
【００９２】
（２）本実施形態によれば、ケーブル２が入力端子に接続された状態では、通信部２３は、ケーブル２の非接触識別タグ４３と通信することができず、さらに、非接触識別タグ４３が、通信部２３の通信可能範囲から外れた後も、所定の時間ＬＥＤの点灯状態を維持するようにしている。このため、入力端子の接続状態を検知可能な検知部２５を備えなくとも、ケーブル２を接続し終わるまで、ケーブル２を接続すべき入力端子を指示することが可能となるうえ、ＬＥＤが点灯し続けることがないため、消費電力を低減することが可能となる。
【００９３】
（変形例）
本発明の実施形態は、以下のように変更してもよい。
【００９４】
・前記第３実施形態において、複数本のケーブル２ａ，２ｂ，２ｃと同時に通信可能となるのを避けるために、通信部２３の通信可能範囲を制限するかわりに、ケーブル２ａ，２ｂ，２ｃのそれぞれに、プロジェクタ１との通信を遮断する通信遮断部を備えるようにしてもよい。
【００９５】
図１２は、コネクタ部４２に通信遮断部を備えたケーブルの説明図である。図１２（ａ）、（ｂ）に示すように、ケーブル２のコネクタ部４２には、通信遮断部として、非接触識別タグ４３よりも大きな開口部６１ａを有する金属管６１が回動可能に備えられている。図１２（ａ）に示すように、この金属管６１によって非接触識別タグ４３が被覆された状態では、非接触識別タグ４３のコイルアンテナ５５がシールドされて、外部との通信が遮断される。また、図１２（ｂ）に示すように、金属管６１を回動させて開口部６１ａと非接触識別タグ４３の位置を一致させると、シールドが解除され、外部との通信が可能になる。
【００９６】
これによれば、一体となった３本のケーブル２ａ，２ｂ，２ｃのうち、接続しようとする１本のケーブルのみを通信可能な状態とし、さらに、接続後に通信を遮断することによって、３本のケーブルが同時に通信可能となるのを防ぐことが可能となる。この結果、複数本のケーブル２ａ，２ｂ，２ｃと同時に通信可能となるのを避けるために、通信部２３の通信可能範囲を制限する必要がなくなり、非接触識別タグ４３をアンテナ部１２のごく近傍に近づける必要がなくなる。
【００９７】
・前記第１〜第３実施形態のように、プロジェクタ１の通信部２３が、常時、応答要求コマンドを発信して、通信可能範囲内の非接触識別タグ４３の存在を監視する代わりに、ユーザが操作部１５等を操作することによって、非接触識別タグ４３の監視を開始するようにしてもよい。さらに、この場合において、検知部２５によってケーブル２が接続されたことを検知した際に、非接触識別タグ４３の監視を中止するようにしてもよい。
【００９８】
これによれば、ケーブル２の接続を行う必要があるときのみに、非接触識別タグ４３の監視を行うため、消費電力を低減することが可能となる。
【００９９】
・前記第１及び第２実施形態において、検知部２５が画像信号を入力するための入力端子１０ａ〜１０ｃのいずれにもケーブル２が接続されていないことを検知したときに、ケーブルの接続を促すメッセージをスクリーンＳＣ等に表示するとともに、非接触識別タグ４３の監視を開始するようにしてもよい。さらに、この場合において、検知部２５によってケーブル２が接続されたことを検知した際に、非接触識別タグ４３の監視を中止するようにしてもよい。
【０１００】
これによれば、ケーブル２の接続をユーザに促すことが可能となるうえ、ケーブル２の接続を行う必要があるときのみに、非接触識別タグ４３の監視を行うため、消費電力を低減することが可能となる。
【０１０１】
・前記第１〜第３実施形態において、プロジェクタ１が動作状態か否かに拘わらず、少なくとも通信部２３を常時動作させ、常に非接触識別タグ４３の監視をするようにしてもよい。この場合において、プロジェクタ１が非動作の状態で、通信部２３が非接触識別タグ４３からの応答を受信した場合に、通信部２３が電源部１６に信号を発信し、信号を受信した電源部１６が、駆動電圧を各部に供給することによってプロジェクタ１の動作を開始させて、ケーブル２の接続先を指示するようにしてもよい。或いは、外部電源とは異なる電源をプロジェクタ１に備え、外部電源が供給されていない状態でも、通信部２３、ＬＥＤ制御部２４及びＬＥＤ表示部１３を動作可能な状態とすることによって、外部電源の供給の有無に拘わらず、ケーブル２の接続先を指示できるようにしてもよい。
【０１０２】
・前記第１及び第２実施形態において、検知部２５は、必須の構成要件ではなく、省略可能である。検知部２５を省略する場合には、ケーブル２を入力端子１０ａ〜１０ｅに接続している期間中、対応するＬＥＤを常に点灯させるようにしてもよいし、第３実施形態と同様、所定の時間のみ点灯を維持するようにしてもよい。
【０１０３】
・前記第１〜第３実施形態において、プロジェクタ１のインターフェイス部１０に、複数個で１組の入力端子が複数組備えられている場合で、前記入力端子に接続可能な１組のケーブルのうち、最初の１本のケーブルを接続する際には、当該ケーブルが接続可能な各組の接続端子を指示し、２本目以降のケーブルを接続する際には、最初の１本が接続された接続端子と同組の接続端子を指示するようにするのが望ましい。
【０１０４】
・本発明の実施形態は、プロジェクタ１に限定されず、他の電子機器にも適用可能である。また、ケーブルが接続される接続端子は、入力端子に限られず、出力端子や入出力端子、或いは、電源ケーブルを接続するためのインレット端子等、他の接続端子にも適用可能である。
【図面の簡単な説明】
【０１０５】
【図１】第１実施形態のプロジェクタを背面側から見た斜視図。
【図２】第１実施形態のプロジェクタを前面側から見た斜視図。
【図３】プロジェクタの内部構成、及びプロジェクタを用いた画像表示システムを示すブロック図。
【図４】検知部の構成を説明する説明図。
【図５】ケーブルを示す図であり、（ａ）は、ケーブルの全体を示す図、（ｂ）は、コネクタ部を示す図。
【図６】非接触識別タグと表示部の回路構成を示すブロック図。
【図７】ケーブルをプロジェクタに近づけた際のプロジェクタの動作を示すフローチャート。
【図８】ケーブルをプロジェクタに近づけた際のケーブルの動作を示すフローチャート。
【図９】第２実施形態のプロジェクタにケーブルを近づけた際のプロジェクタの動作を示すフローチャート。
【図１０】第２実施形態のプロジェクタにケーブルを近づけた際のプロジェクタの動作を説明する説明図。
【図１１】第３実施形態のプロジェクタを背面側から見た斜視図。
【図１２】コネクタ部に通信遮断部を備えたケーブルの説明図であり、（ａ）は、通信を遮断した状態を示す図、（ｂ）は、通信可能な状態を示す図。
【符号の説明】
【０１０６】
１…電子機器としてのプロジェクタ、２…ケーブル、３…電子機器としての画像供給装置、５…電子機器システムとしての画像表示システム、１０…インターフェイス部、１０ａ〜１０ｊ…入力端子、１２…アンテナ部、１３…指示部を構成するＬＥＤ表示部、１３ａ〜１３ｊ…指示部を構成するＬＥＤ、１４…画像表示部を構成する投写レンズ、１５…操作部、１６…電源部、２０…制御部、２１…制御信号処理部、２２…記憶部、２３…第２の通信部としての通信部、２３ａ…コイルアンテナ、２４…指示部を構成するＬＥＤ制御部、２５…検知部、２６…画像表示部を構成する画像信号処理部、２７…ＯＳＤ処理部、２８…バス、２９…画像表示部を構成する画像投写部、４１…導線部、４２…コネクタ部、４３…非接触識別タグ、４４…表示部、５１…第１の通信部としての通信部、５２…制御部、５３…記憶部、５４…電力生成部、５５…コイルアンテナ。
【図１】
2006039448.tif 000003
【図２】
2006039448.tif 000004
【図３】
2006039448.tif 000005
【図４】
2006039448.tif 000006
【図５】
2006039448.tif 000007
【図６】
2006039448.tif 000008
【図７】
2006039448.tif 000009
【図８】
2006039448.tif 000010
【図９】
2006039448.tif 000011
【図１０】
2006039448.tif 000012
【図１１】
2006039448.tif 000013
【図１２】
2006039448.tif 000014